(57)【要約】【課題】  新しい結束器により、釣りの仕掛けに多用される様々なチチワ結束、特に極小チチワの結束を容易かつ安定的なものとする。【解決手段】  糸結束部の輪に捻りを加えるのに適した円筒状の支点部と、結束棒への糸の移動を容易にする横断面が半円状である移行部を持つグリップ、およびチチワの大きさを固定できる段差のついた略Ｗ字形の細い結束棒とからなることを特徴とする。【選択図】図１
2007275035.tif 000002
【特許請求の範囲】
【請求項１】
グリップと結束棒からなり、結束棒の一端が略Ｗ字形をしたことを特徴とするチチワ結束器。
【請求項２】
グリップ支点部Ｅが円筒状で、グリップ移行部Ｆの横断面が半円状であることを特徴とした請求項１に記載したチチワ結束器。
【請求項３】
結束棒チチワ先端部Ａ点と結束棒チチワ結束部Ｂ点との間にＢ点がＡ点よりグリップから遠位に位置するように段差がついていることを特徴とした請求項１または請求項２に記載したチチワ結束器。
【発明の詳細な説明】
【技術分野】
【０００１】  本発明は、釣糸等のチチワの結束を容易にすることができる結束器に関するものである。
【背景技術】
【０００２】  チチワは釣りの仕掛けのなかでも最も多用される結束法のひとつであるが、細い糸を用いて目標とする形状や、所定の大きさのチチワを結束することは熟練を要する。そこで、このようなチチワを結束するための結束器が開示されている。
【特許文献１】  特開２００３−６１５２８号公報
【発明の開示】
【発明が解決しようとする課題】
【０００３】  しかし、従来の結束器は結束の補助をするものや、チチワの大きさを一定にするための補助をするものはあったが、それらを同時に行えるものはなく、また５ｍｍ以下の極小チチワに対応できるものもなかった。【０００４】  解決しようとする問題点は、釣りの仕掛け作りに多用される様々なチチワ結束、特に極小チチワの結束が熟練した技術を要する点である。
【課題を解決するための手段】
【０００５】  上記目的を達成するため請求項１に記載した発明は、グリップと結束棒からなり、結束棒の一端が略Ｗ字形をしたことを特徴とするチチワ結束器となっている。【０００６】  また、請求項２に記載した発明は、糸結束部に捻りを加え、さらに結束棒に容易に移動させることができるように請求項１に記載したチチワ結束器のグリップ支点部Ｅが円筒状で、グリップ移行部Ｆの横断面が半円状であることを特徴とする。【０００７】  さらに、請求項３に記載した発明は、希望した大きさのチチワを容易に結束できるように、請求項１または請求項２に記載したチチワ結束器のグリップに続く略Ｗ字形をした細い結束棒の結束棒チチワ先端部Ａ点と結束棒チチワ結束部Ｂ点との間にＢ点がＡ点よりグリップから遠位に位置するように段差がついていることを特徴とする。
【発明の効果】
【０００８】  図１に示すグリップ支点部Ｅの円筒状の形状は、糸結束部の輪に差し込み、捻りを加えるのに適しており、グリップ移行部Ｆの半円状の横断面の形状は、糸結束部の輪の内径を保持し、結束棒頂点Ｃ点を入れる空隙をつくることにより糸結束部の輪にＣ点を通過させグリップに続く結束棒への糸結束部の移動を容易にする。【０００９】  同じく図１に示す略Ｗ字形をした細い結束棒の結束棒チチワ先端部Ａ点と結束棒チチワ結束部Ｂ点との間に結束棒チチワ結束部Ｂ点が結束棒チチワ先端部Ａ点よりグリップから遠位に位置するように段差がついていることが糸結束部のグリップから結束棒チチワ結束部Ｂ点への移動を円滑にする。【００１０】  また結束棒チチワ先端部Ａ点と結束棒チチワ結束部Ｂ点との距離がチチワの大きさを決定するので、Ａ、Ｂ２点間の距離が異なる結束器を使用することにより５ｍｍ以下の極小チチワも含めた希望した大きさのチチワを安定的に結束することができる。【００１１】  このグリップ部と結束棒の組み合わせを利用することにより、八の字チチワ、Ｗ八の字５回ヒネリチチワ等も希望する大きさで安定的かつ容易に結束できる。
【発明を実施するための最良の形態】
【００１２】  本発明に係るチチワ結束器は、５ｍｍ以下の極小チチワを含め、大きさの安定したチチワを容易に結束するという目的をシンプルな結束器を用いて実現した。
【実施例１】
【００１３】  以下、添付図面を参照しながら本発明の実施の形態について詳細に説明する。図１は、本実施の形態に係るチチワ結束器１０の斜視図である。図１を参照して、チチワ結束器１０の構成を詳細に説明する。【００１４】  図１に示すように、チチワ結束器１０は、グリップ１２と、結束棒１４とから構成される。グリップ１２は、後述する糸結束部Ｇの輪に挿入される円筒状のグリップ支点部Ｅと、半円状の横断面を持つグリップ移行部Ｆとを備え、プラスチック材料又は金属材料等により一体形成されている。【００１５】  結束棒１４は、プラスチック材料又は金属材料等により略Ｗ字形に一体形成され、所定の大きさのチチワを形成するための結束棒チチワ先端部Ａ及び結束棒チチワ結束部Ｂと、後述する糸チチワ部Ｈの輪に挿入される結束棒頂点Ｃと、結束棒引き抜き部Ｄとを備えている。本実施の形態において、結束棒１４は、結束棒チチワ先端部Ａ点と結束棒チチワ結束部Ｂ点との距離が約５ｍｍとなるように成形されている。これにより、約５ｍｍのチチワを結束することができる。【００１６】  以上、本実施形態に係るチチワ結束器の構成について詳細に説明したが、次に、このように構成されたチチワ結束器１０の使用方法を詳細に説明する。図２乃至図６は、チチワ結束器１０を利用してチチワを結束するための結束方法の一例である。なお、図３乃至図６は、糸を保持するための指を省略して示している。【００１７】  まず、図２に示すようにチチワを結束しようとする糸の先端を折り返して二重にし、その二重になった部分で輪をつくりながら指ではさんで図２に示すように保持することで糸結束部Ｇおよび糸チチワ部Ｈを形成する。なお、Ｗチチワを結束する場合は、糸を２回折り返して四重になった部分で同様の輪をつくることにより糸結束部Ｇおよび糸チチワ部Ｈを形成する。【００１８】  次に、図３に示すように、糸結束部Ｇの輪にグリップ１２のグリップ支点部Ｅを差し込み、グリップ支点部Ｅ付近を支点として回転させ、所定回数捻りを加える。【００１９】  次に図４に示すように、結束棒頂点Ｃ点ですくうようにして糸チチワ部Ｈの輪のなかに結束棒頂点Ｃ点を通す。【００２０】  次に、図５に示すようにグリップ支点部Ｅ付近にある糸結束部Ｇの輪を結束棒１４側にずらし、結束棒頂点Ｃ点ですくうようにして糸結束部の輪のなかにＣ点を通す。この際、グリップ移行部Ｆの半円状の横断面の形状が、結束部の糸の内径を保持し、結束棒頂点Ｃ点を入れる空隙をつくることにより作業が容易になる。【００２１】  これにより図６に示すようにチチワの先端部が結束棒チチワ先端部Ａ点に、糸結束部Ｇが結束棒結束部Ｂ点にくるので、ゆっくりと絞めながら、チチワの糸結束部Ｇを結束棒引き抜き部Ｄから引き抜く。そして、チチワを引いて糸結束部Ｇを絞めてチチワ結束を完成させる。【００２２】  以上、詳細に説明した本実施の形態に係るチチワ結束器１０によれば、約５ｍｍの大きさのチチワを安定して容易に結束することができる。【００２３】  なお、本実施の形態においては、本発明の主旨を逸脱しない範囲内で種々の変形が可能であることは言うまでもない。例えば、本実施の形態では、結束棒１４の結束棒チチワ先端部Ａ点と、結束棒チチワ結束部Ｂ��との距離が約５ｍｍとなるように成形することで約５ｍｍのチチワが結束されたが、結束棒１４の結束棒チチワ先端部Ａ点と、結束棒チチワ結束部Ｂ点との距離を変更することで、５ｍｍ以下の極小チチワはもとより、様々な大きさのチチワが結束されても良い。【００２４】  また、本実施の形態においては、グリップ１２のグリップ支点部Ｅを円筒状に、また、グリップ１２のグリップ移行部Ｆの横断面を半円状にしたが、角筒状等他の形状に形成されても良い。
【図面の簡単な説明】
【００２５】
【図１】チチワ結束器の概観を示した斜視図である。
【図２】チチワ結束器使用時の糸の保持方法を示した斜視図である。
【図３】チチワ結束器を使用してチチワを結束する過程を示した斜視図である。
【図４】チチワ結束器を使用してチチワを結束する別の過程を示した斜視図である。
【図５】チチワ結束器を使用してチチワを結束するさらに別の過程を示した斜視図である。
【図６】チチワ結束器を使用してチチワを結束するさらに別の過程を示した斜視図である。
【符号の説明】
【００２６】１０  チチワ結束器
１２  グリップ
１４  結束棒
Ａ    結束棒チチワ先端部
Ｂ    結束棒結束部
Ｃ    結束棒頂点
Ｄ    結束棒引き抜き部
Ｅ    グリップ支点部
Ｆ    グリップ移行部
Ｇ    糸結束部
Ｈ    糸チチワ部
【図１】
2007275035.tif 000003
【図２】
2007275035.tif 000004
【図３】
2007275035.tif 000005
【図４】
2007275035.tif 000006
【図５】
2007275035.tif 000007
【図６】
2007275035.tif 000008